(57)【要約】      （修正有）【課題】発達初期の乳幼児や老人、一部の障害者、病人等、食器を取り扱うことが困難か、その能力が不十分な者が食事を行う際にも食器を転倒させたり、テーブルなどから落下させる恐れを極力減らし、食材を無駄にすることもなく、片付や清掃の負担を減らして、育児、介護者の負担を低減可能で、専有面積も少ない食器安定補助脚および食器を提供する。【解決手段】食器底部ないし側部の一部に着脱可能に取り付けるための固定部１０と、固定部１０から連続して一体に形成された補助脚本体２を有し、補助脚本体２は食器外縁より外側に突出するように１つまたは２つ以上配置されかつ少なくともその一部に接地面を有し、食器接地面に対する補助脚本体２の投影面の一部が食器本体の投影面より外側に部分的に突出して存在する。【選択図】図１
0003193152.tif 000002
【実用新案登録請求の範囲】
【請求項１】
食器底部ないし側部の一部に着脱可能に取り付けるための固定部と、
前記固定部から連続して一体に形成された脚部を有し、
前記脚部は食器外縁より外側に突出するように１つまたは２つ以上配置されかつ少なくともその一部に接地面を有し、
食器接地面に対する脚部の投影面の一部が食器本体の投影面より外側に部分的に突出して存在する食器安定補助脚。
【請求項２】
前記固定部は食器本体に形成された装着部に着脱可能であって、前記固定部と装着部とが雄雌構造により結合するか、
あるいは吸盤、面ファスナー、および粘着部材の何れかを備え、食器本体の任意の位置に取り付け可能である請求項１の食器安定補助脚。
【請求項３】
前記脚部は、所定の可動範囲内で回動可能である請求項１または２の食器安定補助脚。
【請求項４】
前記脚部は、それ自体で吸着性を有するか、吸着性を有する部材を備えている請求項１〜３のいずれかの食器安定補助脚
【請求項５】
請求項１〜４のいずれかの食器安定補助脚が着脱可能であって、
前記食器安定補助脚の固定部に対応した装着部を１カ所または複数箇所有する食器。
【考案の詳細な説明】
【技術分野】
【０００１】
本考案は、皿、トレー、椀、ボウル、コップなどの食器を安定させるための補助具とこれを有する食器に関する。
【背景技術】
【０００２】
発達初期の乳幼児や老人、一部の障害者、病人などは、食器を取り扱うことが困難であるか、その能力が不十分なことが多く、また場合によっては食器を正しく認識できない場合もあり、これらの者が食事を行う際に種々の問題を生じることがある。例えば、食事に用いられる食器を誤って転倒させたり、テーブルから落下させるなどして、食器内に収納されている食材を無駄にしてしまうことがあった。また、食器の転倒や落下により食材が床やテーブル上に散乱したり、当事者の衣服に付着したりすると、これを片付けたり清掃する必要も生じ、その労力も介護者、保護者などの大きな負担となっていた。
【０００３】
食器などの転倒を防止する器具では、従来よりコップを安定させる器具としてコースター等を改良したものが知られている。例えば特開２００５−２６３２４９号公報（特許文献１）には、紙コップ、プラスチックコップ等の使い捨て簡易容器は、中身が空か少量の時、風やテーブル等のぐらつきによって転倒しやすく、また色や形が同様のため他人の物と混同しやすく、これら問題点を解決できるコースターが開示されている。すなわち、簡易容器を、自重とその形状によって転倒から防ぎ、更に多色にすることで他人との混同を避けることのできるホルダー式のコースターとして、コップなどの底部に勘合する底浅円筒状の凹部を上部に有するコースターが開示されている。
【０００４】
特開２００６−３１４７３９号公報（特許文献２）には、取っ手のあるコップ等の転倒を防ぐコップホルダーを、低コストで提供することを目的として、コップを設置する円筒部（１）に切れ込み（２）をもうけ、それにあわせてコップの取っ手を差し込むことによりコップを設置しやすくし、また、底面部（３）を広い面積にすることにより、コップが横からの力を受けても底面部（３）が支えとなり、コップの転倒を防ぐことを特徴とするコップホルダーが開示されている。
【０００５】
特開２０１１−９８０２９号公報（特許文献３）には、使用中にコップなどのぐらつき又は転倒を確実に防止することができるコースターを提供することを目的として、コースターの素材がネオプレーン（発泡ゴム）で、コースター主体１０の中心部にコップなどを密着保持するための保持透孔１１を設け、保持透孔１１の直径はコップ２などの底部外径より小さく形成され、コップ２などを保持透孔１１に差し込んだ時、コースター主体１０はコップ２などと接触している部分が圧縮されて断面形状が傘状に変形し、コップ２などを密着保持したコースター主体１０を、傘状に変形したままテーブルに押し付けて吸着させるコースターが開示されている。
【０００６】
上記特許文献１−３に記載されているコースターないしコップホルダーは、有底円筒状のコップの下端部付近をこれと略同等な大きさの円筒体ないし孔に嵌め込み、円筒体ないし孔の外周に形成されたフランジないし円盤によりコップの接地面を拡大することで安定性を高めている。また、特許文献３では円盤状のコースターが吸盤の機能も発揮できるようになっている。
【０００７】
しかし、上記構造のコースターないしコップホルダーは、被装着物の下部を円筒体ないし孔に嵌め込む構造であるため、コップ等の外形が円形の筒体状のもの以外に適用することは困難である。しかも、筒体であっても変則的な形状のものには適さない。このため、コップ等の外形が筒体状以外の食器、例えば皿、トレー、椀、ボウル等には上記文献を適用するすることは困難である。仮に装着できたとしても、皿、トレー等はそれ自体面積が大きく、上記の構成ではこれからさらに均一に面積が拡大されるので、その食器だけで非常に大きな面積を占有することになり、置き場所の確保や他の食器と干渉するなどの問題を生じてしまう。
【０００８】
特開平０８−７０９７５号公報（特許文献４）には、幼児などが飲み物の入ったコップを扱う場合、倒したりこぼしたりする危険性を低くするコースターを提供することを目的として、本体コップ１の底に吸盤４を設け、ふた２をかぶせおもり３を入れ、本体コップ１の側面をＵ字型に切り取った部分５をもうけた子供用吸盤月コースターが開示されている。
【０００９】
しかし、この文献の構造ではコースターの本体コップの底に吸盤が配置されるため、コースター本体底と載置面との間に吸盤が介在してコースターが浮き上がり、重心が高くなって安定性が悪くなるという問題がある。特にコップ等の場合、本体底面が狭く、この狭い範囲に吸盤を配置するため重心が高くなり、著しく不安定になって、僅かな力で揺動して中身の液体を溢したり、場合によっては吸盤が外れて転倒することもある。また、吸盤の力が強いと、吸盤を外すときの反動で、コップが大きく跳ねて中身が飛び出すといった不具合も生じやすい。
【００１０】
実用新案登録第３１７１８１９号公報（特許文献５）には、飲料ボトル、碗、皿、又はコップ等の載置物が被載置体に強固に載置され、吸盤装置が載置物から容易に分離することが可能な吸盤装置を提供することを目的とした吸盤装置が開示されている。この吸盤装置は、少なくとも２つの吸着パッドを備え、それらの吸着パッドは、下吸盤部１６及び上吸盤部１８を含み、下吸盤部は、例えば机、床等の被載置体に吸着され、上吸盤部は、例えば飲料ボトル、碗、皿、又はコップ等の載置物が載置され、それらの吸着パッドの上、下吸盤部の間には貫通孔３２が設けられていて、２つの吸着パッド１２ａ，１２ｂの間には連通管１４が接続されることにより、それらの２つの吸着パッドを同時に離脱することができる。
【００１１】
また、同文献の段落００１０には「２つの載置物４２をそれぞれ吸盤装置１０における２つの吸着パッド１２ａ、１２ｂの上吸盤部１８に載置し押し下げることによりそれぞれの上吸盤部１８の空間３０内の空気を排出させることで、それぞれの載置物４２は、いずれか１つの上吸盤部１８に吸着され位置決めされることとなる。」と記載されていることから、一つの載置物４２を一つの上吸盤部１８に載置することが必要であり、載置物４２は各上吸盤部１８に応じて必要になる。
【００１２】
従って、この文献の吸盤装置を使用するためには載置物を二つ以上用意する必要があり、使い勝手が著しく悪く、実用的ではない。仮に、１つの載置物の底面を各上吸盤部１８に吸着させる場合には、２つの上吸盤部１８間に渡って底が平らでなければならない。しかも、２つの吸盤に渡って配置されるので、載置されるもののバランスを崩さないように置く位置にも気を付けなければならない。また、吸盤装置はコップ等の食器とは独立しているので、使用する度に下吸盤部を、机、床等の被載置体に吸着させ、上吸盤部に、飲料ボトル、碗、皿、又はコップ等の載置物を載置しなければならず面倒である。
【００１３】
特開２００５−２１２０３号公報（特許文献６）には、乳幼児が食品を取りやすいだけでなく、食器に手を添えた正しい姿勢での食事の練習や、食器を持ち上げて食器の縁に口唇を当てて食品を取り込む動作を身に付ける練習等もすることができる食器を提供することを目的として、上面に開口部を有し食品を収容する食器本体１００と、前記開口部の周縁に設けられた縁部１２０と、を有し、前記開口部１１０を介して対向して位置する前記縁部が平板状に外方に向かって延伸して延伸縁部１２１ａを形成すると共に、前記延伸縁部の端部であって、少なくとも上面側には、この延伸縁部より厚みが大きく、且つ曲面を備える注意喚起用把持部１３０ａが形成されている食器１０が開示されている。
【００１４】
また、同文献段落００３７には「また、図１ 及び図８ に示すように、ボウル本体１ ０ ０ の底面部に糸底部１ ７ ０ が形成されている。そして、この糸底部１ ７ ０ に対して着脱可能に嵌合等する着脱手段である凹部１ ８ １ を有する基台部である例えば、安定台１ ８ ０ が配置されている。さらに、この安定台１ ８ ０ は、エラストマーやシリコーン樹脂等の弾性体により形成されており、糸底部１ ７ ０ よりも大きな外周を有している。この時、糸底部１ ７ ０ の外周面と、安定台１ ８ ０ の凹部１ ８ １ 内周面に係合するための凹部等を形成して、確実に設置できるよう構成しても良い。」と記載され、糸底部１ ７ ０に着脱可能に嵌合等する着脱手段である凹部１ ８ １ を有し、糸底部１ ７ ０ よりも大きな外周を有する安定台１ ８ ０ を装着することができる点が記載されている。
【００１５】
しかし、この文献に記載されている安定台１ ８ ０ は糸底部１ ７ ０ を拡径するように外周がより大きくなる構造であり、上位のように占有面積が大きくなると置き場所や、他の食器との関係で邪魔になってくる。専有面積を小さくしようとすると外径を小さくする必要があり、安定性が低下する。特に、乳幼児の乱雑な動作に抗するためには、ある程度の外力に耐えなければならず、それなりの大きさが必要である。つまり、糸底部１ ７ ０に装着するタイプの安定台は、全周に渡って外周が広がるので、余計な場所を取ってしまうという問題がある。さらに、食器であるボウル本体には凹部１ ８ １嵌合するための糸底部１ ７ ０ も必要であり、このような構造を持たない食器に適用するのは困難である。
【先行技術文献】
【特許文献】
【００１６】
【特許文献１】特開２００５−２６３２４９号公報
【特許文献２】特開２００６−３１４７３９号公報
【特許文献３】特開２０１１−０９８０２９号公報
【特許文献４】特開平０８−７０９７５号公報
【特許文献５】実用新案登録第３１７１８１９号公報
【特許文献６】特開２００５−０２１２０３号公報
【考案の概要】
【考案が解決しようとする課題】
【００１７】
本考案の目的は、発達初期の乳幼児や老人、一部の障害者、病人等、食器を取り扱うことが困難か、その能力が不十分であったり、食器を正しく認識できない者が食事を行う際ににも食器を転倒させたり、テーブルなどから落下させる恐れを極力減らし、食材を無駄にしたり、片付や清掃の負担を減らして、育児、介護者の負担を低減可能な食器安定補助脚を提供することである。
また、専有面積が少なくても食器を安定させることが可能な食器安定補助脚を提供することである。
【課題を解決するための手段】
【００１８】
すなわち、上記目的を達成するために以下の構成とした。
（１）食器底部ないし側部の一部に着脱可能に取り付けるための固定部と、
前記固定部から連続して一体に形成された脚部を有し、
前記脚部は食器外縁より外側に突出するように１つまたは２つ以上配置されかつ少なくともその一部に接地面を有し、
食器接地面に対する脚部の投影面の一部が食器本体の投影面より外側に部分的に突出して存在する食器安定補助脚。
（２）前記固定部は食器本体に形成された装着部に着脱可能であって、前記固定部と装着部とが雄雌構造により結合するか、
あるいは吸盤、面ファスナー、および粘着部材の何れかを備え、食器本体の任意の位置に取り付け可能である上記（１）の食器安定補助脚。
（３）前記脚部は、所定の可動範囲内で回動可能である上記（１）または（２）の食器安定補助脚。
（４）前記脚部は、それ自体で吸着性を有するか、吸着性を有する部材を備えている上記（１）〜（３）のいずれかの食器安定補助脚
（５）上記（１）〜（４）のいずれかの食器安定補助脚が着脱可能であって、
前記食器安定補助脚の固定部に対応した装着部を１カ所または複数箇所有する食器。
【考案の効果】
【００１９】
本考案によれば、食器を少ない専有面積で安定させることができるので、発達初期の乳幼児や老人、一部の障害者、病人等、食器を取り扱うことが困難か、その能力が不十分であったり、食器を正しく認識できない者が食事を行う際ににも食器を転倒させたり、テーブルなどから落下するのを防止して、食材を無駄にしたり、片付や清掃する必要をなくし、育児、介護者の負担を低減可能な食器安定補助脚を提供することができる。
また、専有面積が少ないので、他の食器と干渉したり邪魔になり難い。
【図面の簡単な説明】
【００２０】
【図１】本考案の第１実施例である補助脚を示した平面図。
【図２】本考案の第１実施例である補助脚を示した側面図。
【図３】本考案の第１実施例である補助脚を示した正面図。
【図４】本考案の第１実施例である補助脚を示した底面図。
【図５】本考案の第１実施例である補助脚を示した断面図。
【図６】本考案の第２実施例である食器を示した平面図。
【図７】本考案の第２実施例である食器を示した底面図。
【図８】本考案の第２実施例である食器を示した側面図。
【図９】本考案の第２実施例である食器を示した正面図。
【図１０】本考案の第２実施例である食器を示した断面図。
【図１１】本考案の第２実施例である食器に取り付けられた補助脚を示した下方斜視図。
【図１２】本考案の第２実施例である食器に取り付けられた補助脚を示した上方斜視図。
【図１３】本考案の第３実施例である食器を示した平面図。
【図１４】本考案の第３実施例である食器を示した底面図。
【図１５】本考案の第３実施例である食器を示した側面図。
【図１６】本考案の第３実施例である食器を示した正面図。
【図１７】本考案の第２実施例である食器を示した断面図。
【考案を実施するための形態】
【００２１】
本考案の食器安定補助脚（以下単に補助脚と称することがある）は、食器底部ないし側部の一部に着脱可能に取り付けるための固定部と、前記固定部から連続して一体に形成された脚部を有し、前記脚部は食器外周より外側に突出するように１つまたは２つ以上配置されかつ少なくともその一部に接地面を有し、食器接地面に対するその投影面の一部が食器本体の投影面より外側に部分的に突出して存在するものである。
【００２２】
このように、食器外周より外側に突出するように食器とは別体の補助脚を配置することで、食器の転倒支点を食器外周より外側に移動させることができる。このため、重心から転倒支点までの距離を長く延ばすことができ食器が外部からの力に対してより安定する。
【００２３】
ここで、補助脚が食器外周より外側に突出するとは、食器の接地面に対して食器投影面の外側の一部に突出して補助脚の投影面が存在するように補助脚が配置されていることをいう。具体的には、補助脚の固定部を除いた投影面積の１０％以上。好ましくは２０％以上、より好ましくは５０％以上外側に突出しているとよい。また、補助脚は部分的に突出しているだけなので、必要以上に広い面積を専有することがなく、邪魔になり難く、置き場所も確保しやすい。
【００２４】
補助脚による転倒支点の延長の程度としては、延長部分の距離が転倒支点を延長したい部分における容器接地面の外縁と重心との間の距離の１／３以上、より好ましくは２／５以上である。その上限は特に記載されるものではないが、３／５を超えると、安定性の利益より、周囲に干渉して邪魔になる弊害が上回ってくる。
【００２５】
補助脚はそれぞれ単独で存在し、食器の底部、側部などの一部領域に取り付けられる。このため、食器全周に渡って外形を拡大するようなコースター、安定台とは異なっている。補助脚は、通常食器重心から放射状に延びる方向に配置され、その方向に対して転倒支点を延長する。
【００２６】
補助脚は、食器重心から転倒支点までの距離を伸ばすことができればよいので、その接地面積はあまり大きくなくてもよい。しかし、他方向へ加えられる力に対しても安定性を高めるためにはある程度の接地面積が必要である。例えば、通常用いられているトレーや皿などでは、トレー、皿の接地面における投影面積の１／１０〜１／２、好ましくは１／８〜１／３程度である。また、コップ等の小径の食器では前記トレー、皿に準じた大きさのものを用いた方が安定性を高めることができる。
【００２７】
本考案の補助脚は、食器本体に着脱自在に取り付けることが可能な固定部を有する。このため、必要に応じて取り付けたり取り外したりできるので、装着される食器は不要なときには補助脚を取り外して通常の食器と同様に使用することができる。
【００２８】
固定部は、食器の所定位置あるいは任意の位置に着脱自在に固定可能な構造、形状であればその構造、形状や種類、態様は問わない。例えば、食器と補助脚に雄雌形状を設けた嵌合構造や、面ファスナー、粘着材、吸盤等を用いた構造であってもよい。また、簡単なねじ止めやバヨネット（Bayonet ）、これに近似した構造であってもよい。特に、凸部と凹部あるいは凸部と孔との嵌合構造は、構造が単純で丈夫であり、成形しやすい点で好ましい。凸部と凹部、凸部と孔の形状も特に限定されるものではないが、補助脚を回転させて位置調整を行える点では、旋回軸としての機能を発揮できる円形などの回転可能な形状が好ましい。固定部にはこれらの対応する一方の構造、部材が適用される。特に、凸部と孔の形状が用いられる場合には、固定部に孔を形成するとよい。また、固定部に面ファスナー、粘着材、吸盤等を用いる場合、固定のための特別な形状、構造が必要なく、適用範囲が広く、従来からある食器にも適用可能であるという利点がある。
【００２９】
補助脚を回転させる場合、その可動範囲としては特に限定されるものではなく、必要とされる範囲で回動できるような構造にすればい。しかしながら、取り付ける食器の転倒支点より内側に配置しても役に立たないので、これより外側部分で回動できるようにすべきである。従って、食器底面より外側の領域を可動範囲とし、好ましくは１２０°〜１０°、より好ましくは９０°〜３０°である。可動範囲が狭すぎると、可動にする効果が現れにくくなる。
【００３０】
補助脚自体の形状は特に限定されるものではなく、単なる四角い棒状や板状であってもよいが、安定性、デザイン性、乳幼児に使用する場合の安全性などを考慮した形状であることが好ましい。具体的には、角の丸められた四角い板状体、円または偏平な円に近似される板状体、複数の曲線で構成される板状体、５角形、６角形、星形など多角形で角の丸められた板状体等やこれらを厚み方向に湾曲させたり、丸みを持たせたもの等が例示される。これらのなかでも、円または偏平な円に近似される板状体、角形、６角形、星形など多角形で角の丸められた板状体が好ましい。
【００３１】
補助脚はそれ自体で吸盤機能を発揮できるような構造にしてもよいし、別に吸盤を１つまたは２つ以上備えていてもよい。自体で吸盤機能を発揮するためには、吸盤として機能できる形状であることが必要である。具体的には、お椀や中央が盛り上がった皿のような形状であり、伏せたときに内部に空気室を形成できる空間を形成できることが必要である。補助脚に吸盤機能を持たせる場合、その吸着力はあまり高くなくてもよくい。補助脚はそれ自体で転倒支点を延長して食器を安定させることができるので、その効果を高めたり、滑りを防止できる程度であればよい。吸着力を弱めることで、吸盤を外すときに力を必要とせず、反動で中身を溢すといった不具合も防止できる。
【００３２】
上記形状により、接地面に吸盤である補助脚を伏せるような向きで押しつけ、補助脚をくぼませることで吸盤である補助脚と接地面との間の空気が抜ける。そして、補助脚の弾性により元の形状に戻ろうとすることで、接地面に吸着することになる。このため補助脚の構成材としては可撓性を有するゴムやプラスチック、例えばエポキシ樹脂、熱可塑性ポリアミド樹脂、シリコーン樹脂、塩化ビニル樹脂（ＰＶＣ）、オレフィン系樹脂などが挙げられる。これらのなかでも、コスト、作りやすさの面で塩化ビニル樹脂（ＰＶＣ）、安全性の面でシリコーン樹脂が好ましい。また、接地面との密着性を高めるために接地部分に別の樹脂を用いることもできる。
【００３３】
別に吸盤を設ける場合には、補助脚の形状や材質は自由であるが、少なくとも吸盤を配置できる領域が確保されなければならない。補助脚に吸盤機能を持たせる場合、その吸着力はあまり高くなくてもよくい。補助脚はそれ自体で転倒支点を延長して食器を安定させることができるので、その効果を高めたり、滑りを防止できる程度であればよい。吸着力を弱めることで、吸盤を外すときに力を必要とせず、反動で中身を溢すといった不具合も防止できる。
【００３４】
補助脚には、様々な彩色や模様を施して、デザイン性を高めたり、使用者の注意を喚起させることができる。また、取り付ける食器とデザインの統一を図り、一体としてデザイン性を高めてもよい。特に、乳幼児を対象にする場合には模様は重要であり、乳幼児の注意を喚起し、喜ぶ模様を伏すことで、食事に対する積極性を増進させることができる。具体的な模様としては、特に限定されるものではないが、丸、四角、三角、星形などの簡単な幾何学的形状の他、魚、犬、猫、鳥、虫などの動物、漫画やアニメのキャラクター等子供が興味を持ちやすい模様を付けるとより効果的である。また、彩色でも赤や青、緑など、他の部位と異なる色彩を付して目立ちやすくすることで効果を高めることができる。
【００３５】
補助脚が取り付けられる食器としては、特に限定されるものではなく、皿、トレー、椀、ボウル、コップなど、通常食器として用いられているもので、補助脚を取り付けることができる領域を有するものであれば適用可能である。ただし、補助脚の固定部が上記のような着脱自在な構造、部材を有する場合、例えば雄雌形状による嵌合構造や、ねじ止め、面ファスナー等を用いた構造を有する場合にはこれに対応する構造、部材を有する必要がある。より具体的には、凸部と凹部あるいは凸部と孔との嵌合構造を例示すると、食器側には前記固定部に対応する凸部または凹部ないし孔を形成して互いに勘合できるようにしなければならない。このとき、食器側に凸部、固定部に孔を形成すると、補助脚の構造が簡素になり、取り付けも簡単になるので好ましい。また、補助脚をねじ止めする場合には、通常食器側にねじ穴を形成することになる。
【００３６】
本考案の補助脚、食器の材料は特に限定されるものではなく、樹脂材料の他、金属、陶器、セラミックス、ガラスなどの公知の材料で形成することができる。これらのなかでも、特に乳幼児、小児などを対象とする場合には安全性が高く、量産によるコストダウン効果も大きい樹脂材料が望ましい。樹脂材料としては、通常この種の食器に用いられている材料であればよく、具体的にはポリプロピレン（PP）、ポリエチレン（PE）、ポリエチレンテレフタレート（PET）、塩化ビニール、ABS樹脂等が挙げられ、特に量産性と安全性の面からポリプロピレン（PP）が好ましい。
【００３７】
また、これらの材料に代えて、あるいはこれらの材料に加えて部分的、例えば底部や取っ手にシリコーン樹脂、天然または合成エラストマーを用いて滑り止めや、触感、口当たりを改善してもよい。補助脚にエラストマーを用いると接地面との間で摩擦係数が増大し、滑り止め効果をよりいっそう発揮できる。食器の底部近傍、あるいは外周に滑り止めや、持ち易さ、食感を改善するための部材を配置してもよい。エラストマー等を部分的に配置することで滑り止めや触感を改善させることができる。また、エラストマー等により前記装着部を形成すると、簡単に補助脚の取り付け、取り外しができ、嵌合も強固である。
【実施例１】
【００３８】
次に実施例を示して本考案をより詳細に説明する。図１〜５は、本考案の第１実施例である食器安定補助脚を示した図である。ここで、図１は実施例１の補助脚の平面図、図２は側面図、図３は正面図、図４は底面図、図５は中央部分の縦断面図である。
【００３９】
図１〜５において、補助脚１は、補助脚本体２とその一端に形成された固定部１０とを有する。補助脚本体２は偏平な円形ないし楕円形に近似される外形をなし、長辺側から外方に向けて水平に突出した固定部１０が形成されている。補助脚本体２は、この例では伏せたお椀状、ボウル状に上面中央部２２が上方に湾曲する様に盛り上がって形成され、これに即して底面中央部２３は凹んで凹部空間を形成している。また、外縁２１が補助脚本体２の外周に沿って帯状かつ接地面と平行になるように形成され、接地面に対して密着できるようになっている。
【００４０】
このような形状とすることで、補助脚本体２を軟質部材、例えば加硫ゴム、シリコーン樹脂等のウレタン樹脂、熱可塑性エラストマー等のエラストマー、その他軟質部材により形成すると吸着性を発揮し、吸盤として機能させることもできる。
【００４１】
固定部１０は、補助脚本体２の一部を外方に向けて水平に突出させたように形成され。その付け根にあたる基部３は、補助脚本体２の上面側が装着する食器底部あるいは側部と干渉するのを避けるためこの部分を切り欠くように逃げ部３が形成されている。そして、対応する凹部側には凹部空間に向けて盛り上がるように張り出し２４が形成されている。
【００４２】
固定部１０は中央に、食器の装着部に固定できるように取り付け孔１１が形成されている。この取り付け孔１１は、取り付けられる食器装着部の円柱状凸部に即した大きさに形成され、前記凸部より僅かに小径として、この取り付け孔１１内に凸部が嵌り込む嵌合構造により固定できるようになっている。また、前記凸部の上部を僅かに拡径して、取り付け孔１１が凸部から脱落するのを防止してもよい。
【００４３】
固定部１０は、取り付け孔１１周囲を帯状に囲むようにＵ字状に形成され基部に連結している。このように、固定部１０をＵ字状に形成することで、装着部の凸部を回転軸として、一定の可動域を回動させることができる。つまり、補助脚本体２の位置を移動させ、調整することができる。前記可動域は３６０°回転可能にすることも考えられるが、食器装着部の位置や周囲の逃げ構造により規制される場合が多い。また、補助脚本体２を食器外周の投影面内に位置させる必要はないので、この領域を除いた範囲で可動させることができれば十分である。具体的には、角度にして１２０°以下、１０°以上、好ましくは９０°以下、３０°以上程度である。可動角が小さすぎると可動にするメリットが得られ難くなる。
【実施例２】
【００４４】
図６〜１２は本考案の第２実施例を示したもので、図６は実施例２の食器の平面図、図７は底面図、図８は正面図、図９は側面図、図１０は中央部分の横断面図、図１１は補助脚を有する食器の下方から見た斜視図、図１２は補助脚を有する食器の上方から見た斜視図である。図６〜１２において、補助脚を有する食器は、食器本体１００と、この食器本体底部１０３に装着された一対（複数）の補助脚１を有する。
【００４５】
食器本体１００は、偏平な円形の開口形状をなし、側部１０２と、これからなだらかな曲線を描いて一体に形成されている平らな底部１０３とを有する深底のトレーないし皿の外形をなしている。底部１０３は開口部１０９の形状と略相似形であり、開口部１０９周囲、前記側部１０２上端には、つば１０１が形成されている。また、このつば１０１の外縁は下方に垂下するように湾曲して外縁端に丸みを持たせている。
【００４６】
底部１０３の楕円長軸における両端部には、装着部１１０が形成されている。装着部１１０は、底部１０３よりも食器内部側に凹んで、補助脚１の固定部１０を取り付けたときに、固定部１０が丁度この凹部内に収まるようになっている。つまり、凹部の深さは固定部１０の厚み以上に形成されている。装着部１１０には円柱状の凸部１１１が前記凹部と略同等の高さに形成されている。この凸部１１１は、上記のように固定部の取り付け孔１１内に挿入できるよう、取り付け孔に即した大きさに形成され、前記取り付け孔１１より僅かに大径として、取り付け孔１１が僅かに変形して大きくなることでその内に嵌り込み、嵌合構造を形成することにより固定できるようになっている。また、凸部１１１の上部は僅かに拡径していて、取り付け孔１１が凸部から脱落するのを防止している。
【００４７】
補助脚１０は、食器本体１００に取り付けられると、食器楕円長軸方向で外方に向かって配置され、この方向における転倒支点を外側に移動させるようになっている。このため、接地面における容器投影面より外側に補助脚の投影面が突出して存在し、少なくとも補助脚の投影面の７０％以上が容器投影面より外側に存在している。
【００４８】
また、装着部１１０の凹部は凸部周囲にある程度の幅をもって形成されているので、凸部１１１に装着された固定部１０は、凸部１１１を回転中心にして約４５°程度の範囲で回動できるようになっている。このため、使用状況に応じて補助脚１の位置をある程度調整することができる。
【実施例３】
【００４９】
図１３〜１７は本考案の第３実施例を示したもので、図１３は実施例３の食器の平面図、図１４は底面図、図１５は正面図、図１６は側面図、図１７は中央部分の縦断面図である。図１３〜１７において、トレーは、トレー本体１００と、このトレー本体底部１０３に形成された一対（複数）の装着部１１０を有する。本実施例では、補助脚１は省略している。
【００５０】
トレー本体１００は、図１３手前側が幅広になるように変形した円形の外形をなし、底浅状のトレーないし皿の外観を呈している。大きく広がった開口１０９の周囲に側部１０２が中心方向に大きく傾斜して形成され、そこから一体として底部１０３が形成されている。
【００５１】
トレー１００内部には側部１０２と底部１０３に接合した仕切り１４０が形成されている。この仕切り１０４は、長辺方向に横断するような横方向仕切り１０４ａと、この横方向仕切り１０４ａと図面上方の側壁との間に横たわる縦方向仕切り１０４ｂとを有し、容器内に丁度逆Ｔ字状に形成されている。また、仕切りの高さは容器開口の高さより低く設定され、通常１／３〜２／３の高さに設定される。さらに開口部１０９周囲で前記側部１０２上端には、つば１０１が形成されている。
【００５２】
トレー本体底部１０３に形成された一対（複数）の装着部１１０は、図面手前側両端部であって、装着された補助脚がトレー中心（重心）から放射方向または半径方向に向くように形成配置されている。つまり、トレーの使用者側に補助脚が配置されることになる。また、この例における装着部１１０の凹部もある程度の幅をもって形成されているので、凸部１１１に装着された固定部１０は、凸部１１１を回転中心にして約６０°程度の範囲で回動できるようになっている。
【００５３】
このため、この実施例では補助脚によりこの方向における転倒支点を外側に移動させている。つまり、使用者側に転倒支点が移動し、手前に引き倒すような動作に抗することができる。このとき、接地面における容器投影面より外側に補助脚の投影面が突出して存在し、少なくとも補助脚の投影面の７０％以上が容器投影面より外側に存在している。
【００５４】
以上、上記各実施例では、補助脚を食器に固定する手段として食器に設けた円柱状の凸部と固定部に形成した孔との嵌合構造を最適な実施例の１つとして例示して説明したが、本考案はこのような構造に限定されるものではなく、上記で例示したような種々の取り付け手段を用いることができる。また、食器も上記のようなトレー状の形状に限られるものではなく、椀状やコップ状などでもよく、補助脚の形状や食器の形状も必要に応じて任意の形状を用いることができる。
【産業上の利用可能性】
【００５５】
本考案の補助脚は、発達初期の乳幼児や老人、一部の障害者、病人等、食器を取り扱うことが困難か、その能力が不十分であるか、場合によっては食器を正しく認識できない者の使用する食器に有効である。本考案を適用することで食器が安定し、これらの者でも食事を行う際に食器を転倒させたり落下させることなく食事をすることができ、保護者や介護者の負担を軽減することができる。使用する食器も、皿、トレー、椀、ボウル、コップなど種々の食器に適用できる
【符号の説明】
【００５６】
１    補助脚
２    補助脚本体
３    基部
１０    固定部
１１    孔
２１    縁部
２２    凸部（上面側）
２３    開口部
２４    基部
２３    凹部（底面側）
１００    食器
１０１    つば
１０２    側部
１０３    底部
１０４    仕切り
１０９    開口部
１１０    装着部
１１１    凸部
【図１】
0003193152.tif 000003
【図２】
0003193152.tif 000004
【図３】
0003193152.tif 000005
【図４】
0003193152.tif 000006
【図５】
0003193152.tif 000007
【図６】
0003193152.tif 000008
【図７】
0003193152.tif 000009
【図８】
0003193152.tif 000010
【図９】
0003193152.tif 000011
【図１０】
0003193152.tif 000012
【図１１】
0003193152.tif 000013
【図１２】
0003193152.tif 000014
【図１３】
0003193152.tif 000015
【図１４】
0003193152.tif 000016
【図１５】
0003193152.tif 000017
【図１６】
0003193152.tif 000018
【図１７】
0003193152.tif 000019